(57)【要約】      （修正有）【課題】靴下を少スペースにピンチを使わずに干し、乾いたらそのまま収納できる靴下ハンガーを提供する。【解決手段】縦の支柱１を設け、支柱１に等間隔で支柱１が中心を通るように横向きの支軸２を取付け、それぞれの支軸２の両端には先端が上から見て八の字型３に開いたクリップ式変形ピン４を互いに外開きになるように並べ、洗濯した靴下を挟む。支柱１上面の両端に金具ＡとＢを取り付けチェーン５を連結し、リングＣを通し、フックＤを連結し、チェーン５中央にフックＤをリングＣと共に移動して、フックＤで物干し竿等につり下げて靴下を干す。また、フックＤを支柱１のＡ寄りにリングＣと共に移動して、金具ＡにリングＣを引っかけ、フックＤを持ち支柱１を縦向きにして、収納場所壁面などに引っかけ、縦につり下げて靴下を収納することができる。支柱１の下面中央にもフックＥを付け、下に何段も同じハンガーを連結してつり下げることができる。【選択図】図１
2015073878.tif 000002
【特許請求の範囲】
【請求項１】
縦の支柱（１）を設け、支柱（１）に等間隔で支柱（１）が中心を通るように横向きの支軸（２）を取付け、それぞれの支軸（２）の両端には先端が上から見ると八の字型（３）に開いたクリップ式変形ピン（４）を互いに外開きになるように並べて付け、このクリップ式変形ピンに洗濯した靴下を挟み、支柱（１）上面の両端にチェーン（５）を連結させるための金具ＡとＢを取り付け、そこにチェーン（５）をつなぎ、そのチェーン（５）にリングＣを通し、リングＣにはフックＤを連結し、チェーン（５）中央にフックＤをリンクＣと共に移動させれば、フックＤで物干し竿等につり下げて靴下を干せ、また、フックＤを支柱（１）のＡ寄りにリングＣと共に移動させ、金具ＡにリングＣを引っかけて、フックＤを持てば、支柱（１）を縦向きにして、そのまま、収納場所壁面などに引っかけて、縦につり下げて靴下を収納することができる靴下ハンガーとなり、また、このハンガーは支柱（１）の下面中央にもフックＥがあり、下に何段も同じハンガーを連結してつり下げることができる「そのまんま収納靴下ハンガー」。
【発明の詳細な説明】
【技術分野】
【０００１】  本発明は、わずかなスペースにたくさんの靴下をピンチを使わずに簡単に干すことのできる洗濯干しのための靴下ハンガーと、靴下を簡単に収納することができる収納用の靴下ハンガーの両方を兼ね供えた「そのまんま収納靴下ハンガー」に関するものである。
【背景技術】
【０００２】  従来の技術では、洗濯した靴下を干す時にピンチで挟んで吊るして干すもので、取り込んで収納するときは、いちいちピンチから取り外して一足ずつ組にしてたたんでタンス等に収納していました。
また、収納だけの目的の靴下ハンガー（特許文献１参照）はありましたが、洗濯後の靴下をピンチを使用しないで外に干せるハンガーはなかった。
【先行技術文献】
【特許文献】
【０００３】
【特許文献１】  特開平１１−３２８９２号公報  これは収納だけが目的の靴下ハンガーで、洗濯後の靴下を外に干すには使えない。
【発明の概要】
【発明が解決しようとする課題】
【０００４】  従来の「靴下を干す」、「靴下を収納する」技術には、次のような欠点があった。
（イ）ピンチで挟むハンガーでは、「点」で挟むので生地が伸びてしまった。
（ロ）靴下を干すときも、取り込むときも、一枚ずつピンチを着脱する手間がかかった。
（ハ）ピンチで挟むハンガーでは、少スペースにたくさん干せるものはなかった。
（ニ）靴下をタンスの引き出し等に収納するとき、一足を組にして、たたんだりと結構な    手間と時間がかかった。
（ホ）収納した靴下の中から、履きたい靴下を探しだすのに時間がかかった。【０００５】  本発明は、以上の欠点を解決するためになされたものである。
【課題を解決するための手段】
【０００６】  縦の支柱（１）を設け、支柱（１）に等間隔で支柱（１）が中心を通るように横向きの支軸（２）を取り付け、それぞれの支軸（２）の両端には先端が八の字型（３）に開いたクリップ式変形ピン（４）を互いに外開きになるように並べて付け、このクリップ式変形ピンに洗濯した靴下を挟み込む。
支柱（１）上面の両端にチェーン（５）を連結させるための金具ＡとＢを取り付け、そこにチェーン（５）を繋ぎ、そのチェーン（５）にリングＣを通す。
リングＣにはフックＤを連結する。チェーン（５）中央にリングＣと共にフックＤを移動させれば、フックＤで吊り下げて靴下を干すハンガーとなる。
また、フックＤを支柱（１）のＡ寄りにリングＣと共に移動させ、金具ＡにリングＣを引っかけて、フックＤを持てば、支柱（１）を縦向きにして、そのまま、フックＤを収納場所に引っかけて、縦につり下げて使う「靴下収納ハンガー」になる。
また、このハンガーは支柱（１）の下面中央にもフックＥがあり、下に何段も同じハンガーを連結してつり下げ、少スペースに靴下をたくさん干すことができる。
本発明は以上の構成によりなる「干す」、「収納する」のどちらの手間も時間も短縮できる靴下ハンガーである。
【発明の効果】
【０００７】  本発明を使用することによって次のような効果がある。
（イ）靴下のゴムが伸びにくくなる。
（ロ）少スペースにたくさんの靴下が干せる。
（ハ）ピンチを使用しないので簡単に靴下の取り付けや取り外しができる。
（ニ）収納した靴下を一目で見つけることができ、しかも取り出しやすい。
（ホ）靴下を収納する手間や時間を短縮できる。
【図面の簡単な説明】
【０００８】
【図１】  「そのまんま靴下ハンガー」の斜視図である。
【図２】  クリップ式変形ピンの一部分を示した断面図である。
【図３】  クリップ式変形ピンの上から見た一部分を示した説明図である。
【図４】  靴下を干したときの使用例
【図５】  収納時の使用例
【発明を実施するための形態】
【０００９】  以下、本発明の実施の形態を説明する。
（イ）支柱（１）を設ける。
（ロ）支柱（１）に等間隔で支柱（１）が中心を通るように横向きの支軸（２）を取付け    る。
（ハ）それぞれの支軸（２）の両端には先端が八の字型（３）に開いたクリップ式変形ピ    ン（４）を互いに外開きになるように並べて付けてある。
（ニ）支柱（１）上面の両端にチェーン（５）を連結させるための金具ＡとＢを取り付け    る。
（ホ）支柱（１）上面の両端の金具ＡとＢにチェーン（５）をつなぎ、そのチェーン（５    ）にリングＣを通し、リングＣにはフックＤを連結する。
（ヘ）支柱（１）の下面中央にフックＥを取り付け、同じハンガーを連結してつり下げる    ことができるようにする。
（ト）フックＤを支柱（１）の金具Ａ寄りにリングＣと共に移動させ、金具ＡにリングＣ    を引っかけて、フックＤを持てば、支柱（１）を縦向きにして、そのまま、収納場所    壁面のフックなどに引っかけて縦につり下げて収納できる靴下ハンガーとなる。
【００１０】  本発明は以上の構成になっている。
本発明を使用するときは、フックＤで物干し竿等に吊り下げて、支軸（２）の両端にあるクリップ式変形ピン（４）に洗濯した靴下を挟みこむだけで簡単に靴下を干せる。
また、収納するときは、クリップから靴下をはずさずに、支柱（１）の金具ＡにリングＣを引っかけて、フックＤで支柱（１）を縦につり下げて、クローッゼット内の壁面のフックなどに引っかけて収納する。
わずかなスペースに簡単にたくさん靴下が干せて、しかも簡単に収納もでき、一目で靴下を見つけることができる。
【符号の説明】
【００１１】  １  支柱
２  支軸
３  八の字型に開いたクリップの先端
４  クリップ式変形ピン
５  チェーン
Ａ  支柱（１）とチェーン（５）をつなぐ金具
Ｂ  支柱（１）とチェーン（５）をつなぐ金具
Ｃ  チェーン（５）とフックＤをつなぐリング
Ｄ  支柱（１）をつり下げるためのフック
Ｅ  同じハンガーを下段に下げるときのためのフック
【図１】
2015073878.tif 000003
【図２】
2015073878.tif 000004
【図３】
2015073878.tif 000005
【図４】
2015073878.tif 000006
【図５】
2015073878.tif 000007